(57)【特許請求の範囲】
【請求項１】
次世代ユニバーサル地上波無線アクセスネットワーク(E−UTRAN)と通信するように構成されるユーザ機器(UE)であって、
トランシーバーと、
前記トランシーバーに接続されるプロセッサと、を含み、該プロセッサは、
複数の周波数の1つのリストを受信するように構成され、複数の周波数の前記1つのリストは各周波数の優先順位を示し、
前記複数の周波数のうちで測定間隔中に測定されるべき1つ又は複数の周波数の順序を決定する、ように構成され、測定されるべき前記1つ又は複数の周波数の前記順序は、各周波数の前記優先順位及び各周波数測定についての遅延要件に基づいて決定される、
ユーザ機器(UE)。
【請求項２】
前記複数の周波数の1つのリストを受信することは、より低い優先順位を受信するための複数の周波数の第1のリスト及びより高い優先順位を受信するための複数の周波数の第2のリストを受信することを含む、請求項１に記載のユーザ機器(UE)。
【請求項３】
前記第1のリスト及び前記第2のリストを受信することは、前記第1のリストを含む第1の情報要素及び前記第2のリストを含む第2の情報要素を受信することを含む、請求項２に記載のユーザ機器(UE)。
【請求項４】
前記第1のリスト及び前記第2のリストを受信することは、前記第1のリスト及び前記第2のリストを含む1つの情報要素を受信することを含む、請求項２に記載のユーザ機器(UE)。
【請求項５】
各周波数は1つの優先順位インジケーターを含む、請求項１に記載のユーザ機器(UE)。
【請求項６】
前記複数の周波数の前記1つのリストは、より低い優先順位の周波数及びより高い優先順位の周波数を含む、請求項１に記載のユーザ機器(UE)。
【請求項７】
前記複数の周波数の前記1つのリストは、通常の優先順位を受信するための周波数及び低い優先順位を受信するための周波数を示す、請求項１乃至６のいずれか１項に記載のユーザ機器(UE)。
【請求項８】
前記複数の周波数の前記1つのリストは、通常の優先順位を受信するための周波数及び高い優先順位を受信するための周波数を示す、請求項１乃至６のいずれか１項に記載のユーザ機器(UE)。
【請求項９】
測定の優先順位を示す方法であって、
プロセッサを使用して、1つ又は複数の無線アクセス技術(RAT)及び各無線アクセス技術(RAT)について測定を実行するための複数の周波数を決定するステップと、
前記プロセッサを使用して、各周波数について優先順位を決定するステップと、
前記複数の周波数及び各周波数についての前記優先順位を無線通信デバイスに示すステップと、を含み、
前記無線通信デバイスは、前記複数の周波数のうちで測定間隔中に測定されるべき1つ又は複数の周波数の順序を決定するように構成され、測定されるべき前記1つ又は複数の周波数の前記順序は、各周波数の前記優先順位及び各周波数測定についての遅延要件に基づいて決定される、
方法。
【請求項１０】
前記優先順位を無線通信デバイスに示すステップは、複数の周波数の第1のセットがより低い優先順位を受信するべき周波数であり、複数の周波数の第2のセットがより高い優先順位を受信するべき周波数であるということを示すステップを含む、請求項９に記載の方法。
【請求項１１】
前記複数の周波数の第1のセットがより低い優先順位を受信するべき周波数であり、前記複数の周波数の第2のセットがより高い優先順位を受信するべき周波数であるということを示すステップは、前記複数の周波数の前記第1のセット及び前記第2のセットの指標を含む単一のデータ構造を送信するステップを含む、請求項１０に記載の方法。
【請求項１２】
前記複数の周波数の第1のセットがより低い優先順位を受信するべき周波数であり、前記複数の周波数の第2のセットがより高い優先順位を受信するべき周波数であるということを示すステップは、前記複数の周波数の前記第1のセット及び前記第2のセットの指標を含む単一のデータ構造を送信することなく、前記複数の周波数の前記第1のセット及び前記第2のセットの複数の個別の指標を送信するステップを含む、請求項１０に記載の方法。
【請求項１３】
前記複数の周波数及び各周波数についての前記優先順位を無線通信デバイスに示すステップは、各周波数についての優先順位を送信するステップを含む、請求項９に記載の方法。
【請求項１４】
前記複数の周波数及び各周波数についての前記優先順位を無線通信デバイスに示すステップは、各周波数についてより高い優先順位のデータ構造及びより低い優先順位のデータ構造のうちの一方を送信するステップを含む、請求項９に記載の方法。
【請求項１５】
前記複数の周波数及び各周波数についての前記優先順位を無線通信デバイスに示すステップは、通常の優先順位の周波数と低い優先順位の周波数とを示すステップ及び通常の優先順位の周波数と高い優先順位の周波数とを示すステップのうちの一方を含む、請求項９に記載の方法。
【請求項１６】
請求項９乃至１５のいずれかに記載の方法を実行する手段を含む装置。
【請求項１７】
コンピュータ読み取り可能な複数の命令を含むコンピュータプログラムであって、前記コンピュータ読み取り可能な複数の命令がコンピュータで実行されると、前記コンピュータに請求項９乃至１５のいずれか1項に記載の方法を実行させる、コンピュータプログラム。
【請求項１８】
請求項１７に記載のコンピュータプログラムが格納されているコンピュータ読み取り可能な記録媒体。
【請求項１９】
無線通信デバイスであって、
当該無線通信デバイスを基地局と通信可能に接続するように構成される第1の回路と、
測定されるべき複数の隣接基地局からの信号を識別する情報を、前記基地局から受信するように構成される第2の回路であって、各信号を測定するための優先順位及び各信号を測定するための遅延要件は前記情報から決定可能であり、各信号を測定するための前記優先順位及び前記遅延要件に基づいて、前記複数の周波数のうちで測定間隔中に測定されるべき1つ又は複数の周波数の順序を決定するように構成される第2の回路と、を含む、
無線通信デバイス。
【請求項２０】
前記情報は複数の信号の組み合わせられた1つのリストを含み、前記組み合わせられた1つのリストは、第1の優先順位を受信するための複数の信号の第1のリスト及び第2の優先順位を受信するための複数の信号の第2のリストを含む、請求項１９に記載の無線通信デバイス。
【請求項２１】
前記情報は、第1の優先順位を受信するための複数の信号の第1のリスト及び第2の優先順位を受信するための複数の信号の第2のリストを組み合わせることなく、複数の信号の前記第1のリスト及び複数の信号の前記第2のリストを含む、請求項１９に記載の無線通信デバイス。
【請求項２２】
前記情報は各信号についての優先順位の指標を含む、請求項１９に記載の無線通信デバイス。
【請求項２３】
前記情報は、信号のタイプ及び優先順位を示す要素を含む、請求項１９に記載の無線通信デバイス。
【請求項２４】
前記情報は、低い優先順位の信号と通常の優先順位の信号とを区別する情報及び通常の優先順位の信号と高い優先順位の信号とを区別する情報を含む群から選択され、遅延要件のためのスケーリングファクターは前記優先順位に基づいて選択される、請求項１９乃至２３のいずれか１項に記載の無線通信デバイス。
【発明の詳細な説明】
【技術分野】
【０００１】
本願は、２０１４年５月８日に出願された米国仮出願６１／９９０，６７４号に基づく優先権を主張し、同米国仮出願の利益を主張するものであり、米国仮出願６１／９９０，６７４号の内容は、本願の参照として取り入れられる。
【背景技術】
【０００２】
本開示は、周波数間の測定の優先順位を決定するシステム、方法、及びデバイスに関する。
【図面の簡単な説明】
【０００３】
【図１】複数のマクロセルｅＮＢ及び複数のスモールセルｅＮＢを含むシステムの概略的な図である。
【図２Ａ】ある１つの実施形態に従ってＵＥに複数の測定対象の優先順位を示すように構成されるｅＮＢを含むシステムの概略的な図である。
【図２Ｂ】別の実施形態に従ってＵＥに複数の測定対象の優先順位を示すように構成されるｅＮＢを含むシステムの概略的な図である。
【図３Ａ】さらに別の実施形態に従ってＵＥに複数の測定対象の優先順位を示すように構成されるｅＮＢを含むシステムの概略的な図である。
【図３Ｂ】さらに別の実施形態に従ってＵＥに複数の測定対象の優先順位を示すように構成されるｅＮＢを含むシステムの概略的な図である。
【図４】より高い優先順位の測定及びより低い優先順位に測定のための遅延要件を示す図である。
【図５】優先順位を決定した複数の周波数間の測定を実行する方法のフローチャートである。
【図６】受信した複数の測定対象に従って複数の周波数間の測定の優先順位を決定することができるＵＥのブロック図である。
【発明を実施するための形態】
【０００４】
移動体無線通信技術は、さまざまな規格及びプロトコルを使用し、基地局と無線通信デバイスとの間でデータを送信する。無線通信システム規格及びプロトコルは、例えば、３ＧＰＰ（３ｒｄ  Ｇｅｎｅｒａｔｉｏｎ  Ｐａｒｔｎｅｒｓｈｉｐ  Ｐｒｏｊｅｃｔ）ＬＴＥ（ｌｏｎｇ  ｔｅｒｍ  ｅｖｏｌｕｔｉｏｎ）、ＷｉＭＡＸ（Ｗｏｒｌｄｗｉｄｅ  Ｉｎｔｅｒｏｐｅｒａｂｉｌｉｔｙ  ｆｏｒ  Ｍｉｃｒｏｗａｖｅ  Ａｃｃｅｓｓ）として業界団体に共通に知られているアメリカ電気電子通信学会（ＩＥＥＥ）８０２．１６規格、及びＷｉ−Ｆｉとして業界団体に共通に知られているＩＥＥＥ８０２．１１規格を含んでもよい。ＬＴＥシステムにおける３ＧＰＰ無線アクセスネットワーク（ＲＡＮ）では、基地局は、（進化型ＮｏｄｅＢ、強化型ＮｏｄｅＢ、ｅＮｏｄｅＢ、又はｅＮＢと一般的に示される）次世代ユニバーサル移動体通信システム（ＵＭＴＳ）地上波無線アクセスネットワーク（Ｅ−ＵＴＲＡＮ）ＮｏｄｅＢ、及び／又は無線ネットワークコントローラ（ＲＮＣ）を含んでもよく、これらの基地局は、ユーザ機器（ＵＥ）として知られている無線通信デバイスと通信する。ＬＴＥネットワークでは、Ｅ−ＵＴＲＡＮは、複数のｅＮｏｄｅＢを含んでもよく、複数のＵＥと通信してもよい。進化型パケットコア（ＥＰＣ）は、Ｅ−ＵＴＲＡＮをインターネット等の外部ネットワークに接続してもよい。
【０００５】
ＬＴＥネットワークは、無線アクセス技術及びコア無線ネットワークアーキテクチャを使用し、これらは、高データレート、低遅延、パケット最適化、並びに改善されたシステム容量及びカバレッジを実現する。ＬＴＥネットワークでは、ＵＥは１つのｅＮＢと通信可能に接続されてもよい。ＵＥは、そのＵＥが接続されるｅＮＢに関して動いていてもよく、したがって、その接続されるｅＮＢの信号強度及び／又は信号品質は低下する可能性があり、ｅＮＢは、選択基準をもはや満たすことができなくなる可能性がある。ＵＥは、他のｅＮＢからの信号がより強度が大きい及び／又はより品質が高いか否かを判定することを試みてもよい。例えば、ｅＮＢは、ＵＥに、他のｅＮＢの参照信号受信電力（ＲＳＲＰ）及び／又は参照信号受信品質（ＲＳＲＱ）及び／又はその他同様のものを測定するように指示してもよい。ＵＥは、他のｅＮＢと関連する１つ又は複数のキャリア及び／又は１つ又は複数の無線アクセス技術（ＲＡＴ）の周波数間の測定を実行してもよい。それらの周波数間の測定の結果に依存して、ＵＥは他のｅＮＢにハンドオーバーされてもよい。本明細書において使用されるように、ある周波数を測定すること又はあるキャリアを測定することは、その周波数における又はそのキャリアについての（例えば、その信号のＲＳＲＰ、ＲＳＲＱ、及び／又はその他同様のもの等の）信号の（例えば、周波数間の測定等の）測定を実行することを指してもよい。
【０００６】
ＵＥが多くの数のキャリアについて周波数間の測定を実行することができれば、ＵＥの性能を改善することが可能である。例えば、複数の異なるＵＥの状態についてモニタリングされる周波数及び／又はＲＡＴの数は、表１乃至５に示されている。
【０００７】
【表１】
0006411549.tif 000002
【０００８】
【表２】
0006411549.tif 000003
【０００９】
【表３】
0006411549.tif 000004
【００１０】
【表４】
0006411549.tif 000005
【００１１】
【表５】
0006411549.tif 000006
【００１２】
周波数間の測定を実行するのに要求される時間の長さは、モニタリングされているキャリアの数に伴って線形的に増加する傾向がある。結果として、ＵＥは、ハンドオーバーを実行するべきｅＮＢの適時の測定をしそこなう可能性がある。例えば、高速で移動中のＵＥは、ハンドオーバーが必要となる前に、すべての必要な測定を実行することができない可能性がある。そのような状況においては、ＵＥのトラフィックが、ＵＥが接続状態にある間に中断され及び／又は失われる可能性がある。したがって、ハンドオーバーが要求される前に、ＵＥがハンドオーバーするであろうｅＮＢの測定が行われるように、複数の測定の順序を整えるのが望ましい。
【００１３】
ＲＡＮは、ＵＥが実行するべき１つ又は複数の測定を決定してもよく、また、各々の測定が実行されるべき優先順位を決定してもよい。より高い優先順位を有する測定は、ＵＥによってより迅速に行われてもよく、及び／又はより優先順位が低い測定よりもより高い頻度で行われてもよい。例えば、１つの構成では、マクロセルはより高い優先順位を与えられてもよく、スモールセルは、より低い優先順位を与えられてもよい。ＵＥは、トラフィックの中断を防止するスモールセルよりもトラフィックの中断を防止する適切なマクロセルを見つける傾向が強い。その後、ＵＥは、優先順位がより低い測定を行って、複数のスモールセルを探索し、それらの複数のスモールセルは、より良好な性能を提供してもよい。ＵＥがより優先順位の高い測定及びより優先順位の低い測定を実行する特定の順序は、固有の実装となっていてもよい。ある実施形態において、優先順位がより高い測定をＵＥが実行する遅延要件及び優先順位がより低い測定をＵＥが実行する遅延要件は、あらかじめ決定されていてもよい。
【００１４】
さまざまなレベルの粒度が、優先順位を指定するのに使用されてもよい。例えば、２つ、３つ、４つ、５つ、又はより多くの異なるレベルの優先順位が存在してもよい。異なる実施形態において、優先順位のレベルは、ディフォルトの優先順位、すなわち、レガシープライオリティと異なる関係を有していてもよい。２つの優先順位レベルを用いるある１つの実施形態において、より低い優先順位のレベルは通常の優先順位であってもよく、より高い優先順位のレベルは高い優先順位であってもよい。高い優先順位の測定は、レガシー遅延要件によって義務付けられる頻度よりもより頻繁に実行されてもよい。２つの優先順位レベルを用いる他の実施形態においては、より高い優先順位のレベルが、通常の優先順位であってもよく、より低い優先順位のレベルが、低い優先順位であってもよい。低い優先順位の測定は、レガシー遅延要件によって義務付けられる頻度よりもより低い頻度で実行されてもよい。あらかじめ定められたスケーリングファクター又は動的に示されたスケーリングファクターを使用して、通常の優先順位の測定のための遅延要件から、高い優先順位の測定又は低い優先順位の測定のための遅延要件を決定してもよい。抽象構文記法においては、スケーリングファクターを含む情報要素のある１つの実施形態は、以下のように示される。
【００１５】
【数１】
0006411549.tif 000007
【００１６】
１つの実施形態においては、ＲＡＮは、ＵＥに通常の優先順位の測定目標のリストを含む情報要素（ＩＥ）を送信して、いずれの測定を実行するべきかを示してもよい。ＲＡＮは、また、高い優先順位の測定目標及び／又は低い優先順位の測定目標のリストを含むＩＥをＵＥに送信してもよい。通常の優先順位の測定目標のリスト及び高い優先順位又は低い優先順位の測定目標のリストは、ともに連結されて、すべての測定目標のリストを含む追加のＩＥを生成してもよい。抽象構文記法においては、１つの実施形態において優先順位が決定された測定を示す情報要素は、以下のように示される。
【００１７】
【数２】
0006411549.tif 000008
【００１８】
１つの実施形態において、ＲＡＮは、通常の優先順位の測定目標のリストを示すＩＥを送信してもよい。ＲＡＮは、通常の優先順位のＩＥ並びに高い優先順位及び／又は低い優先順位のＩＥの連結を含む１つのＩＥを送信する代わりに、高い優先順位及び／又は低い優先順位の測定目標のリストを含む個別のＩＥをＵＥに送信してもよい。通常の優先順位のＩＥは、高い優先順位及び／又は低い優先順位のＩＥにも含まれている複数の測定目標を含むことにより、レガシーサポートを提供してもよい。抽象構文記法においては、１つの実施形態において優先順位が決定された測定を示す情報要素は、以下のように示される。
【００１９】
【数３】
0006411549.tif 000009
【００２０】
１つの実施形態において、ＲＡＮからＵＥに送信される測定目標は、優先順位インジケーターを含んでいてもよく、優先順位インジケーターは、その特定の測定目標のための優先順位を指定してもよい。例えば、優先順位インジケーターは、低い優先順位又は通常の優先順位を示す０又は１であってもよく、通常の優先順位又は高い優先順位を示す０又は１であってもよい。ＲＡＮは、優先順位インジケーターを用いる測定目標のリストを含むＩＥを送信するのみならず、レガシー測定目標のリストを含むＩＥも送信してもよい。代替的に、ＲＡＮは、優先順位インジケーターを用いる測定目標のリストを含むＩＥのみを送信してもよい。抽象構文記法においては、１つの実施形態に従って優先順位が決定された測定を示す情報要素は、以下のように示される。
【００２１】
【数４】
0006411549.tif 000010
【００２２】
１つの実施形態において、優先順位インジケーターは、１つ又は複数の特定のタイプの測定目標に含まれる１つのパラメーターであってもよい。例えば、ＥＵＴＲＡ測定目標は、抽象構文記法において以下のように表現される。
【００２３】
【数５】
0006411549.tif 000011
【００２４】
１つの実施形態において、複数の異なる測定目標は各ＲＡＴに対応していてもよい。例えば、各ＲＡＴについて測定目標のタイプは異なっていてもよい。測定目標のタイプは、通常の優先順位を有する、すなわち、レガシー測定目標に加えて、各ＲＡＴに対応する高い優先順位の又は低い優先順位の測定目標を含むように拡張されてもよい。上記の実施形態は後方互換性を可能にしてもよい。通常の優先順位の測定目標及び高い優先順位の又は低い優先順位の測定目標を含む測定目標のリストを含むＩＥが、ＵＥに送信されてもよい。ＩＥの中の高い優先順位の測定目標又は低い優先順位の測定目標のいずれかの代わりに、ＩＥはレガシー測定目標を含んでもよい。高い優先順位の測定目標又は低い優先順位の測定目標を処理することができないＵＥは、レガシー測定目標を用いることができ、かつ、優先順位を決められた測定目標を無視することができる。一方、高い優先順位の測定目標又は低い優先順位の測定目標を処理することができるＵＥは、レガシー測定目標を無視することができ、かつ、優先順位を決められた測定目標を用いることができる。各タイプの高い優先順位の測定目標又は低い優先順位の測定目標の最大数は、前もって指定される必要があってもよい。加えて、測定目標の最大数は、レガシーの場合の形態と比較して増加する必要があってもよい。抽象構文記法においては、１つの実施形態において優先順位が決定された測定を示す情報要素は、以下のように示される。
【００２５】
【数６】
0006411549.tif 000012
【００２６】
図１は、（カバレッジ層等の）複数のマクロセルｅＮＢ１１１、１１２、１１３及び（オフロード層等の）複数のスモールセルｅＮＢ１２１、１２２、１２３、１２４、１２５、１２６を含むシステム１００の概略図である。ＵＥ１５０は、マクロｅＮＢ１１１に接続されていてもよく、マクロｅＮＢ１１１にたいして移動していてもよい。ｅＮＢ１１１は、ＵＥ１５０に複数の測定目標を送信し、ＵＥ１５０が実行するべき複数の周波数間測定を示してもよい。ＵＥ１５０は、（例えば、フェムトセル、ピコセル、ミクロセル、他のマクロセル等の）他の隣接セル１１２、１１３、１２１乃至１２６と関連する複数のキャリアについて周波数間測定を実行してもよい。周波数間測定は、隣接セル１１２、１１３、１２１乃至１２６の各々についてのＲＳＲＰ、ＲＳＲＱ、及び／又はその他同様のものの測定を含んでもよい。
【００２７】
多数の隣接セルｅＮＢ１１２、１１３、１２１乃至１２６が存在する場合には、ＵＥ１５０が周波数間測定を実行するのに長い時間がかかる可能性がある。そのような状況で、ＵＥ１５０は、測定を終了する前に、マクロｅＮＢ１１１との接続を失う可能性がある。ハンドオーバーのためのターゲットｅＮＢはまだ選択されておらず、したがって、リモートエンティティとのＵＥ１５０による通信は、中断される可能性がある。したがって、ＵＥ１５０は、再選択基準を満たす可能性がより低いｅＮＢを上回る再選択基準を満たす可能性がより高いｅＮＢの測定に高い優先順位をつけてもよい。例示的な実施形態において、マクロセルｅＮＢ１１２及び１１３は、再選択基準を満たす可能性がより高くてもよく、したがって、マクロセルｅＮＢ１１２及び１１３を対象とする測定は、より高い優先順位をつけられてもよい。
【００２８】
図２Ａは、１つの実施形態に従ってＵＥ２５０ａに複数の測定目標を示すように構成されるｅＮＢ２１０ａを含むシステム２００ａの概略図である。ｅＮＢ２１０ａは単一のＩＥ２２０ａを送信してもよく、その単一のＩＥ２２０ａは、優先順位がより高い測定目標のリストと連結される優先順位がより低い測定目標のリストを含んでいてもよい。いくつかの実施形態において、ｅＮＢ２１０ａは、連結されたリストに加えて、優先順位がより低い測定目標のリストを含む個別のＩＥ及び／又は優先順位がより高い測定目標のリストを含む個別のＩＥを送信してもよい。より低い優先順位であろうと又はより高い優先順位であろうと、各測定目標は、ＵＥ２５０ａがその測定目標によって示される対応する測定を実行するのに必要とする何らかの情報を含んでいてもよい。
【００２９】
ＵＥ２５０ａは、示される測定を実行する順序を決定してもよい。１つの実施形態において、ＵＥ２５０ａがその中で測定を実行しなければならない遅延要件は、あらかじめ決定されてもよい。優先順位がより高い測定がその中で実行されなければならない第１の期間と優先順位がより低い測定がその中で実行されなければならない第２の期間とが存在してもよい。ＵＥ２５０ａは、各種類の測定を実行するための優先順位と遅延要件とに基づいて測定を実行する順序を決定してもよい。ＵＥ２５０ａが順序を決定する方法は、固有の実装となっていてもよい。
【００３０】
図２Ｂは、別の実施形態に従ってＵＥ２５０ｂに複数の測定目標の優先順位を示すように構成されるｅＮＢ２１０ｂを含むシステム２００ｂの概略図である。ｅＮＢ２１０ｂは、優先順位がより高い測定目標のリストを含むＩＥ２２１ｂ及び優先順位がより低い測定目標のリストを含むＩＥ２２２ｂを送信してもよい。この場合に、ｅＮＢ２１０ｂは、一緒に連結される２つのリストを持つＩＥを送信しなくてもよい。ＩＥ２２１ｂ及びＩＥ２２２ｂの一方が通常の優先順位の測定目標のリストを含んでいてもよい。１つの実施形態において、通常の優先順位の測定目標のリストは、優先順位が低い測定又は優先順位が高い測定のための複数の測定目標を含んでいてもよい。レガシーＵＥは、通常の優先順位の測定目標としてすべての測定目標を処理してもよいが、優先順位が低い測定目標又は優先順位が高い測定目標を含むＩＥ２２１ｂ及びＩＥ２２２ｂを無視してもよい。優先順位に関する能力を有するＵＥは、特定の構成に従って、いずれの測定目標が双方のＩＥ２２１ｂ及びＩＥ２２２ｂにわたって重複しているか、及びいずれの測定目標が優先順位が高い測定目標又は優先順位が低い測定目標の扱いを受けることを保証するかを判定してもよい。
【００３１】
図３Ａは、さらに別の実施形態に従ってＵＥ３５０ａに複数の測定目標の優先順位を示すように構成されるｅＮＢ３１０ａを含むシステム３００ａの概略図である。ｅＮＢ３１０ａは、複数の測定目標のリストを含むＩＥ３２０ａを送信してもよい。リストの中の各測定目標は、その測定目標が優先順位がより高い測定目標であるか又は優先順位がより低い測定目標であるかを指定する優先順位インジケーターを含んでいてもよい。例えば、優先順位インジケーターは、複数の異なる優先順位レベルへのマッピングを行う１つ又は複数のビットであってもよい。１つの実施形態において、単一のリストを含む単一のＩＥ３２０ａが、ｅＮＢ３１０ａからＵＥ３５０ａに送信されてもよい。代替的に、優先順位インジケーターを有する複数の測定目標を含むリストを含むＩＥ３２０ａが送信されるとともに、（例えば、レガシーＵＥが処理することができる複数の測定目標を含むリスト等の）優先順位インジケーターを持たない複数の測定目標を含むリストを含む（図示されていない）ＩＥが送信されてもよい。上記の２つのリストは互いに重複していてもよい。ＵＥ３５０ａは、優先順位インジケーターに基づいて測定順序を決定してもよい。
【００３２】
図３Ｂは、さらに別の実施形態に従ってＵＥ３５０ｂに複数の測定目標の優先順位を示すように構成されるｅＮＢ３１０ｂを含むシステム３００ｂの概略図である。ｅＮＢ３１０ｂは、複数の測定目標のリストを含むＩＥ３２０ａを送信してもよい。測定目標のタイプは、その測定がより高い優先順位を持っているかより低い優先順位を持っているかによって異なっていてもよい。例えば、第１の測定目標は、優先順位がより低い測定目標であってもよく、第２の測定目標は、優先順位がより高い測定目標であってもよい。いくつかの実施形態において、通常の優先順位の測定目標は、あらゆる測定のために含まれていてもよく、レガシーＵＥをサポートするために実行される。追加の優先順位が低い測定目標又は優先順位が高い測定目標が、異なる優先順位の扱いを受け取るためにこれらの測定目標のために含まれていてもよい。レガシーＵＥは、上記の追加の優先順位が低い測定目標又は優先順位が高い測定目標を無視してもよく、通常の優先順位の測定目標を使用して測定を実行してもよい。異なる複数の優先順位を取り扱うことができるＵＥは、重複する通常の優先順位の測定目標を無視してもよく、ただ１つ存在する通常の優先順位の測定目標及び優先順位がより高い測定目標又は優先順位が低い測定目標を使用することができる。代替的な実施形態において、単一の測定目標のみが、実行されるべき各測定について送信されてもよい。
【００３３】
図４は、優先順位がより高い測定及び優先順位がより低い測定のための遅延要件４０１及び４０２を示すチャート４００である。チャート４００は、各遅延要件４０１及び４０２を列記しているｙ軸４１０と各遅延要件４０１及び４０２によって義務付けられる時間の量を示す時間軸４２０とを含む。より低い優先順位の遅延要件４０２は、あるスケーリングファクターによってより高い優先順位の遅延要件４０１と異なるようになっていてもよく、より高い優先順位の遅延要件４０１及びより低い優先順位の遅延要件４０２の各々は、対応するスケーリングファクターによってレガシー遅延要件と異なるようになっていてもよい。例えば、例示的な実施形態において、より低い優先順位の遅延要件４０２は、より高い優先順位の遅延要件の２倍の大きさがあってもよい（すなわち、上記の実施形態では、優先順位がより高い測定は、優先順位がより低い測定の頻度の２倍の頻度で実行されることを必要とする）。いくつかの実施形態において、より高い優先順位の遅延要件４０１及びより低い優先順位の遅延要件４０２のうちの一方は、通常の優先順位の遅延要件であってもよく、他方の遅延要件は、一方の遅延要件からスケーリングされる。例えば、より高い優先順位の遅延要件４０１が通常の優先順位の遅延要件であってもよく、この場合、スケーリングファクターは２であってもよい。代替的に、より低い優先順位の遅延要件４０２が通常の優先順位の遅延要件であってもよく、この場合、スケーリングファクターは１／２（＝０．５）であってもよい。他の実施形態においては、各遅延要件は、他方の遅延要件と関連しているのではなく、明示的に定義されてもよい。
【００３４】
図５は、優先順位が決定された複数の周波数間測定を実行するための方法５００のフローチャートである。方法５００は、ｅＮＢと通信可能に接続するステップ５０２で開始してもよい。例えば、ｅＮＢとの間で接続がセットアップされてもよい。ｅＮＢから複数の測定目標が受信されてもよい（ステップ５０４）。複数の測定目標は、接続セットアップの一部として受信されてもよく、（例えば、ＲＲＣ接続再構成メッセージの中で）接続がセットアップされた後に受信されてもよい。複数の測定目標はそれらの優先順位を示していてもよく、及び／又はその優先順位はＩＥから決定可能であってもよく、測定目標がＩＥの中で送信される。例えば、測定目標の優先順位を示すための前に議論されたフォーマットのいずれかが、測定目標を送信するために使用されてもよい。各測定目標の優先順位は、送信から決定されてもよい（ステップ５０６）。例えば、測定目標のタイプが決定されてもよく、優先順位インジケーターが読み取られ、１つ又は複数の測定目標を含むリストと関連する優先順位が決定されてもよく、及び／又はその他同様の処理が実行されてもよい。
【００３５】
各測定間隔について、その測定間隔内で測定されるべき１つ又は複数の測定目標が、決定された優先順位に基づいて決定されてもよい（ステップ５０８）。各測定間隔のための１つ又は複数の測定目標が、それらの測定目標の優先順位と関連する遅延要件を満たすように選択されてもよい。例えば、遅延要件が優先順位から決定されてもよく、実行されるべき測定が、利用可能な測定間隔を受信された測定目標の遅延要件と比較することで決定されてもよい。その後、複数の決定された測定が実行されてもよい（ステップ５１０）。例えば、測定目標によって示される各信号についてＲＳＲＰ、ＲＳＲＱ、及び／又はその他同様のものが、その信号の測定値から算出されてもよい。それらの測定の結果を示す測定報告が、ｅＮＢに送信されてもよい（ステップ５１０）。それらの測定は、新たなセルが選択されるべきか否かを判定するために評価されてもよい。新たなセルは選択されない場合には、方法５００の１つ又は複数のステップが、時間的に後の点で反復されてもよい。
【００３６】
図６は、UE、移動局（MS）、移動無線デバイス、移動通信デバイス、タブレット、ハンドセット、又は他のタイプの無線通信デバイス等の移動デバイスの例示的な図である。移動デバイスは、基地局（BS）、eNB、ベースバンドユニット（BBU）、リモートラジオヘッド（RRH）、リモートラジオ機器（RRE）、中継局（RS）、無線機器（RE）、又は他のタイプの無線広域ネットワーク（WWAN）アクセスポイント等の送信局と通信するように構成される１つ又は複数のアンテナを含んでいてもよい。移動デバイスは、3GPP  LTE、WiMAX、高速パケットアクセス（HSPA）、ブルートゥース、及びWi-Fi等を含む少なくとも１つの無線通信規格を使用して通信するように構成されてもよい。移動デバイスは、各無線通信規格のための複数の個別のアンテナ又は複数の無線通信規格のための共有アンテナを使用して通信してもよい。移動デバイスは、無線ローカルエリアネットワーク（WLAN）、無線パーソナルエリアネットワーク（WPAN）、及び／又はWWANにおいて通信をしてもよい。
【００３７】
図６は、また、移動デバイスからの音声入力及び音声出力のために使用されうるマイクロフォン及び１つ又は複数のスピーカーを示している。ディスプレイスクリーンは、液晶ディスプレイ（LCD）スクリーン、又は有機発光ダイオード（OLED）ディスプレイ等の他のタイプのディスプレイスクリーンであってもよい。ディスプレイスクリーンはタッチスクリーンとして構成されてもよい。タッチスクリーンは、容量性、抵抗膜方式、又は他のタイプのタッチスクリーン技術を使用していてもよい。アプリケーションプロセッサ及びグラフィックプロセッサは、内部メモリに接続されて、処理能力及び表示能力を提供してもよい。不揮発性メモリポートが、ユーザにデータ入力／出力オプションを提供するために使用されてもよい。不揮発性メモリポートは、また、移動デバイスのメモリ容量を拡張するのに使用されてもよい。キーボードは、移動デバイスと一体化され、又は移動デバイスに無線で接続されて、追加のユーザ入力を提供してもよい。タッチスクリーンを使用して仮想キーボードを提供してもよい。
例
【００３８】
以下の例はさらなる実施形態に関している。
【００３９】
例１は、Ｅ−ＵＴＲＡＮと通信するように構成されるＵＥである。ＵＥは、トランシーバーとそのトランシーバーに接続されるプロセッサとを含む。プロセッサは、複数の周波数の１つのリストを受信するように構成される。複数の周波数の１つのリストは、各周波数の優先順位を示している。プロセッサは、また、複数の周波数のうちで測定間隔において測定されるべき１つ又は複数の周波数を決定するように構成される。測定されるべき上記の１つ又は複数の周波数は、各周波数の優先順位に基づいて決定される。
【００４０】
例２において、例１のリストを受信する動作は、より低い優先順位を受信するための周波数の第１のリスト及びより高い優先順位を受信するための周波数の第２のリストを受信する動作を含む。
【００４１】
例３において、例２の第１のリスト及び第２のリストを受信する動作は、第１のリストを含む第１の情報要素及び第２のリストを含む第２の情報要素を受信する動作を含む。
【００４２】
例４において、例２の第１のリスト及び第２のリストを受信する動作は、第１のリスト及び第２のリストを含む１つの情報要素を受信する動作を含む。
【００４３】
例５において、例１乃至４のいずれかの各周波数は優先順位インジケーターを含む。
【００４４】
例６において、例１乃至５のいずれかの周波数のリストは、より低い優先順位の周波数及びより高い優先順位の周波数を含む。
【００４５】
例７において、例１乃至６のいずれかの周波数のリストは、通常の優先順位を受信するための周波数及び低い優先順位を受信するための周波数を示す。
【００４６】
例８において、例１乃至６のいずれかの周波数のリストは、通常の優先順位を受信するための周波数及び高い優先順位を受信するための周波数を示す。
【００４７】
例９は、測定の優先順位を示す方法である。上記の方法は、１つ又は複数のＲＡＴ及び各ＲＡＴについて測定を実行するための複数の周波数を、プロセッサを使用して決定するステップを含む。上記の方法は、また、プロセッサを使用して、各周波数について優先順位を決定するステップを含む。上記の方法は、複数の周波数及び各周波数についての優先順位を無線通信デバイスに示すステップを含む。
【００４８】
例１０において、例９の各周波数についての１つの優先順位を無線通信デバイスに示すステップは、複数の周波数の第１のセットがより低い優先順位を受信するべき周波数であり、複数の周波数の第２のセットがより高い優先順位を受信するべき周波数であるということを示すステップを含む。
【００４９】
例１１において、例１０の複数の周波数の第２のセットがより高い優先順位を受信するべき周波数であるということを示すステップは、複数の周波数の第１のセット及び第２のセットの指標を含む単一のデータ構造を送信するステップを含む。
【００５０】
例１２において、例１０の複数の周波数の第２のセットがより高い優先順位を受信するべき周波数であるということを示すステップは、複数の周波数の第１のセット及び第２のセットの指標を含む単一のデータ構造を送信することなく、複数の周波数の第１のセット及び第２のセットの個別の指標を送信するステップを含む。
【００５１】
例１３において、例９乃至１２のいずれかの複数の周波数及び各周波数についての１つの優先順位を無線通信デバイスに示すステップは、各周波数について１つの優先順位インジケーターを送信するステップを含む。
【００５２】
例１４において、例９乃至１３のいずれかの複数の周波数及び各周波数についての１つの優先順位を無線通信デバイスに示すステップは、より高い優先順位のデータ構造及びより低い優先順位のデータ構造のうちの一方を送信するステップを含む。
【００５３】
例１５において、例９乃至１４のいずれかの各周波数についての１つの優先順位を無線通信デバイスに示すステップは、通常の優先順位の周波数と低い優先順位の周波数とを示すステップ及び通常の優先順位の周波数と高い優先順位の周波数とを示すステップのうちの一方を含む。
【００５４】
例１６は、例９乃至１５のいずれかに記載された方法を実行するための手段を含む装置である。
【００５５】
例１７は、複数のコンピュータ読み取り可能命令が格納されている少なくとも１つのコンピュータ読み取り可能記録媒体であって、コンピュータ読み取り可能命令が実行されると、例９乃至１５のいずれかの方法を実行し又は例１乃至８のいずれかのＵＥを実現する、コンピュータ読み取り可能記録媒体である。
【００５６】
例１８は、回路を含む無線通信デバイスである。その回路は、基地局と通信可能に接続するように構成される。その回路は、また、測定されるべき複数の隣接基地局からの信号を識別する情報を、基地局から受信するように構成される。各信号を測定するための優先順位は、上記の情報から決定可能である。
【００５７】
例１９において、例１８の情報は、複数の信号の組み合わせられたリストを含む。上記の組み合わせられたリストは、第１の優先順位を受信するための第１のリストの信号及び第２の優先順位を受信するための第２のリストの信号を含む。
【００５８】
例２０において、例１８の情報は、第１のリスト及び第２のリストを組み合わせた形態ではなく、第１の優先順位を受信するための第１のリストの信号及び第２の優先順位を受信するための第２のリストの信号を含む。
【００５９】
例２１において、例１８乃至２０のいずれかの情報は、各信号のための優先順位の指標を含む。
【００６０】
例２２において、例１８乃至２１のいずれかの情報は、信号のタイプ及び優先順位を示す要素を含む。
【００６１】
例２３において、例１８乃至２２のいずれかの情報は、低い優先順位の信号と通常の優先順位の信号とを区別する情報及び通常の優先順位の信号と高い優先順位の信号とを区別する情報を含む群から選択される。遅延要件のためのスケーリングファクターは優先順位に基づいて選択される。
【００６２】
例２４は、ＵＥと通信可能に接続するように構成されるｅＮＢである。ｅＮＢは、トランシーバーとそのトランシーバーに接続されているプロセッサを含む。プロセッサは、１つ又は複数のＲＡＴ及び各ＲＡＴについて測定を実行するための複数の周波数を決定するように構成される。プロセッサは、また、各周波数について１つの優先順位を決定するように構成される。プロセッサは、さらに、複数の周波数及び各周波数についての１つの優先順位を無線通信デバイスに示すように構成される。
【００６３】
例２５において、例２４のプロセッサは、複数の周波数の第１のセットがより低い優先順位を受信するべき周波数であり、複数の周波数の第２のセットがより高い優先順位を受信するべき周波数であるということを示すように構成される。
【００６４】
例２６において、例２５のプロセッサは、複数の周波数の第１のセット及び複数の周波数の第２のセットの指標を含む単一のデータ構造を送信することにより、複数の周波数の第１のセット及び第２のセットを示すように構成される。
【００６５】
例２７において、例２５のプロセッサは、複数の周波数の第１のセット及び第２のセットの指標を含む単一のデータ構造を送信することなく、複数の周波数の第１のセット及び第２のセットの複数の個別の指標を送信することにより、複数の周波数の第１のセット及び第２のセットを示すように構成される。
【００６６】
例２８において、例２４乃至２７のいずれかのプロセッサは、各周波数について１つの優先順位インジケーターを送信することにより、複数の周波数及び各周波数についての１つの優先順位を示すように構成される。
【００６７】
例２９において、例２４乃至２８のいずれかのプロセッサは、各周波数についてより高い優先順位のデータ構造及びより低い優先順位のデータ構造のうちの一方を送信することにより、複数の周波数及び各周波数についての１つの優先順位を示すように構成される。
【００６８】
例３０において、例２４乃至２９のいずれかのプロセッサは、通常の優先順位の周波数と低い優先順位の周波数とを示すこと及び通常の優先順位の周波数と高い優先順位の周波数とを示すことのうちの一方により、優先順位を示すように構成される。
【００６９】
例３１は、複数の周波数間測定の優先順位を決定する方法である。その方法は、複数の周波数の１つのリストを受信するステップを含む。複数の周波数の１つのリストは各周波数の優先順位を示す。上記の方法は、１つの測定間隔の中で測定されるべき複数の周波数のうちの１つ又は複数の周波数を決定するステップを含む。測定されるべき上記の１つ又は複数の周波数は、各周波数の優先順位に基づいて決定される。
【００７０】
例３２において、例３１の複数の周波数の１つのリストを受信するステップは、より低い優先順位を受信するための複数の周波数の第１のリスト及びより高い優先順位を受信するための複数の周波数の第２のリストを受信するステップを含む。
【００７１】
例３３において、例３２のより高い優先順位を受信するための複数の周波数の第２のリストを受信するステップは、第１のリストを含む第１の情報要素及び第２のリストを含む第２の情報要素を受信するステップを含む。
【００７２】
例３４において、例３２のより高い優先順位を受信するための複数の周波数の第２のリストを受信するステップは、第１のリスト及び第２のリストを含む１つの情報要素を受信するステップを含む。
【００７３】
例３５において、例３１乃至３４のいずれかの各周波数は優先順位インジケーターを含む。
【００７４】
例３６において、例３１乃至３５のいずれかの複数の周波数の１つのリストは、より低い優先順位の周波数及びより高い優先順位の周波数を含む。
【００７５】
例３７において、例３１乃至３６のいずれかの複数の周波数の１つのリストは、通常の優先順位を受信するための複数の周波数及び低い優先順位を受信するための複数の周波数を示す。
【００７６】
例３８において、例３１乃至３６のいずれかの複数の周波数の１つのリストは、通常の優先順位を受信するための複数の周波数及び高い優先順位を受信するための複数の周波数を示す。
【００７７】
例３９は、測定の優先順位を示す基地局である。その基地局は回路を含んでいる。その回路は、測定を実行するための複数の周波数を決定するように構成される。その回路は、また、各周波数について１つの優先順位を決定するように構成される。その回路は、さらに、複数の周波数及び各周波数についての１つの優先順位を無線通信デバイスに示すように構成される。
【００７８】
例４０において、例３９の回路は、複数の周波数の第１のセットがより低い優先順位を受信するべき周波数であり、複数の周波数の第２のセットがより高い優先順位を受信するべき周波数であるということを示すことにより、複数の周波数を示すように構成される。
【００７９】
例４１において、例４０の回路は、複数の周波数の第１のセット及び第２のセットの指標を含む単一のデータ構造を送信することにより、複数の周波数の第１のセット及び複数の周波数の第２のセットを示すように構成される。
【００８０】
例４２において、例４０の回路は、複数の周波数の第１のセット及び第２のセットの指標を含む単一のデータ構造を送信することなく、複数の周波数の第１のセット及び第２のセットの複数の個別の指標を送信することにより、複数の周波数の第１のセット及び第２のセットを示すように構成される。
【００８１】
例４３において、例３９乃至４２のいずれかの回路は、各周波数について１つの優先順位インジケーターを送信することにより、複数の周波数及び各周波数についての１つの優先順位を示すように構成される。
【００８２】
例４４において、例３９乃至４３のいずれかの回路は、各周波数についてより高い優先順位のデータ構造及びより低い優先順位のデータ構造のうちの一方を送信することにより、複数の周波数及び各周波数についての１つの優先順位を示すように構成される。
【００８３】
例４５において、例３９乃至４４のいずれかの回路は、通常の優先順位の周波数と低い優先順位の周波数とを示すこと及び通常の優先順位の周波数と高い優先順位の周波数とを示すことのうちの一方により優先順位を示すように構成される。
【００８４】
さまざまな技術、ある態様、又はそれらの部分は、フロッピーディスク、ＣＤ−ＲＯＭ、ハードドライブ、非一時的なコンピュータ読み取り可能記録媒体、又はその他の機械読み取り可能記録媒体等の有体物の媒体に実装される（プログラム命令等の）プログラムコードの形態をとってもよく、それらのプログラムコードがコンピュータ等の機械にロードされ機械によって実行されるときに、その機械は、上記のさまざまな技術を実現する装置になる。プログラム可能なコンピュータ上でプログラムコードを実行する場合は、コンピューティングデバイスは、プロセッサ、プロセッサにより読み取り可能な（揮発性及び不揮発性メモリ、及び／又は記憶素子等の）記憶媒体、少なくとも１つの入力デバイス、及び少なくとも１つの出力デバイスを含んでもよい。揮発性及び不揮発性メモリ及び／又は記憶素子は、ＲＡＭ、ＥＰＲＯＭ、フラッシュデバイス、光デバイス、磁気ハードドライブ、又は電子データを格納する他の媒体であってもよい。ｅＮＢ（又は他の基地局）及びＵＥ（又は他の移動局）は、トランシーバー要素、カウンター要素、処理要素、及び／又はクロック要素又はタイマー要素を含んでもよい。本明細書で記載されたさまざまな技術を実装し又は利用することができる１つ又は複数のプログラムは、アプリケーションプログラミングインターフェイス（ＡＰＩ）、再利用可能な制御、及びその他の同様なものを使用してもよい。そのようなプログラムは、ハイレベル手続き型プログラミング言語又はオブジェクト指向プログラミング言語で実装されていてもよく、コンピュータシステムと通信することができる。しかしながら、上記の１つ又は複数のプログラムは、要求に応じて、アセンブリ又は機械語で実装することもできる。いずれの場合においても、言語は、コンパイルすることができ、又は解釈された言語であってもよく、そして、ハードウェアの実装と組み合わせられてもよい。
【００８５】
本明細書で述べられた機能ユニットの多くのものが１つ又は複数の構成要素として実装することができ、１つ又は複数の構成要素は、それらがその実装によらないことをより具体的に強調するのに使用される用語で示されているということを理解すべきである。例えば、構成要素は、特注の大規模集積回路（ＶＬＳＩ）又はゲートアレイ、ロジックチップ、トランジスター、又は他の個別の構成要素等の市販の半導体を含むハードウェア回路として実装されてもよい。その他にも、構成要素は、フィールドプログラマブルゲートアレイ、プログラマブルアレイロジック、プログラマブルロジックデバイス、又はその他同様のもの等のプログラマブルハードウェアデバイスとして実装されてもよい。
【００８６】
構成要素は、さまざまなタイプのプロセッサによって実行されるソフトウェアとして実装されてもよい。実行可能なコードによる特定された構成要素は、例えば、複数のコンピュータ命令の１つ又は複数の物理的なブロック又は論理的なブロックを含んでもよく、１つ又は複数の物理的なブロック又は論理的なブロックは、例えば、オブジェクトとして、手順として、又は機能として構成されていてもよい。それにもかかわらず、特定された構成要素の複数の実行可能ファイルは、物理的に同じ場所に位置している必要はなく、異なる場所に格納されている複数の個別の命令を含んでいてもよく、それらが論理的に組み合わされた場合に、構成要素を構成し、その構成要素の説明された目的を達成する。
【００８７】
まさしく、実行可能なコードの構成要素は、単一の命令であってもよく、複数の命令であってもよく、複数の異なるコードセグメントにわたって、複数のプログラムの間で、及び複数のメモリデバイスにわたって分散されていてもよい。同様に、オペレーショナルデータは、構成要素中で特定され示されていてもよく、いずれかの適切な形態で実装され、いずれかの適切なタイプのデータ構造で実現されていてもよい。オペレーショナルデータは、単一のデータセットとして収集されてもよく、異なる記憶装置を含む異なる場所にわたって分散されていてもよく、システム又はネットワーク上で単に電子的な信号として少なくとも部分的に存在していてもよい。構成要素は、複数の望ましい機能を実行するように動作可能なエージェントを含む受動的又は能動的構成要素であってもよい。
【００８８】
本明細書を通して記載されている「例」を参照すると、それらの例と関連して説明された特定の特徴、構造、又は特性が、本開示の少なくとも１つの実施形態に含まれているということが意図されている。したがって、本明細書を通じてさまざまな場所で出現する「例において」との記載は、必然的に、すべてが同一の実施形態を指しているということではない。
【００８９】
本明細書中で使用されたように、複数の品目、構造的構成素子、複合構成素子、及び／又は材料は、便宜的に１つの共通の記載の中に示される。しかしながら、これらの記載は、記載の各要素が個別かつ一意の要素として個々に識別されるかのように解釈されるべきである。そのような記載のいかなる個別の要素も、特に反対の意味内容であると記載される場合を除き、共通のグループの中の説明のみに基づいて、同一の記載のいずれかの他の要素の事実上の等価物であると解釈されるべきではない。加えて、本開示のさまざまな実施形態及び例が、さまざまな構成要素の代替的な形態を示すものとして本明細書中で参照されてもよい。そのような実施形態、例、及び代替的な形態は、互いに事実上等価なものと解釈されるべきでなく、むしろ、本開示の個別のかつ独立した提示であると解釈されるべきである。
【００９０】
前述の記載は、説明の明確さのため、いくつかの例を用いて詳細に説明されてきたが、これらの詳細な例の原理の範囲内で、ある複数の変更及び改変がなされうるということが明らかになるであろう。本明細書において記載されたプロセス及び装置の双方を実装する多くの代替的な方法が存在するということに留意すべきである。したがって、本実施形態は、限定的なものではなく例示的なものとして考えられるべきであり、本開示は、ここに記載されている詳細な態様に限定されるべきではなく、むしろ、添付の特許請求の範囲及びそれと均等な範囲内で変更がなされうるものである。
【００９１】
当業者であれば、本開示に示された原理の範囲内で上記の実施形態に対して多くの変更がなされうるということを理解するであろう。したがって、本願の保護の範囲は、以下の特許請求の範囲のみによって記載されるべきものである。
【図１】
0006411549.tif 000013
【図２Ａ】
0006411549.tif 000014
【図２Ｂ】
0006411549.tif 000015
【図３Ａ】
0006411549.tif 000016
【図３Ｂ】
0006411549.tif 000017
【図４】
0006411549.tif 000018
【図５】
0006411549.tif 000019
【図６】
0006411549.tif 000020